(57)【要約】【課題】開口部の周縁が分厚くならない、爪先に開口部を設けたバレエ用タイツを提供する。【解決手段】上部からウエスト部、パンティ部、脚部からなるバレエ用タイツにおいて、脚部の爪先部２がトウ部３と目減らし部４と目増やし部５と袋編部６とラベルコース部８とからなり、前記爪先部２上面または下面に開口部７を設けたバレエ用タイツ１を構成するものである。【選択図】図４
0003118222.tif 000002
【実用新案登録請求の範囲】
【請求項１】
上部からウエスト部、パンティ部、脚部からなるバレエ用タイツにおいて、脚部の爪先部がトウ部と目減らし部と目増やし部と袋編部とラベルコース部とからなり、前記爪先部上面または下面に開口部を設けたことを特徴とするバレエ用タイツ。
【請求項２】
前記袋編部の編糸にカバリング糸を使用した請求項１記載のバレエ用タイツ。
【請求項３】
前記ラベルコース部の編糸に熱溶融糸を使用した請求項１または請求項２記載のバレエ用タイツ。
【考案の詳細な説明】
【技術分野】
【０００１】
本考案は、バレエ用タイツに係り、更に詳細には、爪先から腰部まで被覆するパンティストッキング状のバレエ用タイツに関するものである。
【背景技術】
【０００２】
本考案でいうバレエ用タイツとは、パンティストッキング状のタイツのことである。パンティストッキングとは、特許文献１に記載されているように、爪先から腰部まで被覆するタイプのものからなっている。
【特許文献１】特開平９−１９５１０４号公報
【０００３】
バレエ用の爪先用具としては、特許文献２や特許文献３に記載されたものが提案されている。
【特許文献２】特開平６−１４２２５０号公報
【特許文献３】特開２００３−３２５２０４号公報
【０００４】
また、開口部を設けたパンティストッキングとしては、股部に開口部を形成した特許文献４に記載されたものが開示されている。
【特許文献４】特開２００１−１１５３０３号公報
【０００５】
そして、本考案と同様に、足裏部に引出穴を設けたバレエ用のパンティストッキングが、実用新案登録文献に先行技術が開示されている。
【特許文献５】実開平７−１５７０５号公報
【０００６】
しかし、上記実用新案登録文献に記載のものは、編成後に、足裏部に引出穴を穿設して、周囲を解け止め加工したものである。そのため、解け止め加工が分厚くなってトウジューズとの摩擦に支障をきたし、また、ロックが外れたり、生地の目流れを発生することがあった。
【考案の開示】
【考案が解決しようとする課題】
【０００７】
上記の事情に鑑み、本考案は、開口部の周縁が分厚くならない、爪先部に開口部を設けたバレエ用タイツを提供することを課題とするものである。
【課題を解決するための手段】
【０００８】
本考案は上記目的を達成するために、上部からウエスト部、パンティ部、脚部からなるバレエ用タイツにおいて、脚部の爪先部がトウ部と目減らし部と目増やし部と袋編部とラベルコース部とからなり、前記爪先部上面または下面に開口部を設けたバレエ用タイツを構成するものである。
【考案の効果】
【０００９】
本考案のバレエ用タイツは、爪先部上面または下面に開口部を設けたので、足先が蒸れてほてった場合には、タイツを脱ぐことなく、足の指先をタイツから出すことができる。
【００１０】
本考案のバレエ用タイツは、編成によって開口部を設けているので、周縁が分厚くならず、トウシューズとの摩擦にも支障をきたさない。
【考案を実施するための最良の形態】
【００１１】
以下、本考案の実施例を図面に基づいて詳しく説明する。
【実施例１】
【００１２】
図１は、本考案のバレエ用タイツの一実施例を示す正面図、図２は、同爪先部の拡大側面図である。
【００１３】
バレエ用タイツ１は、図１に示すように、上部からウエスト部Ｗ、パンティ部Ｐ、脚部Ｆからなる。バレエ用タイツ１の編成は、上部からウエスト部Ｗ、パンティ部Ｐ、脚部Ｆの順に行なわれる。
【００１４】
図２に示すように、脚部Ｆの爪先部２は、トウ部３の編成を所定コース分行なった後、目減らし部４と目増やし部５からなる反復回転編成を行なう。これは、筒編みの一方に袋状の編地を形成するもので、シリンダの半周にある長いパットニードルを非編成レベルに上げ、残る半周の短いパットニードルでシリンダの正逆往復回転により、針上げピッカー及び針下げによって、目減らし部４と目増やし部５を編成するものである。この正逆往復回転は、通常の踵と同じ針によって行なわれる。
【００１５】
爪先部２を、より深く編成したい場合は、Ｙ型のゴアラインを採用したり、針の増減をコースに１回にする。目減らし部４の反復回転編成をゴアライン９まで行なう。
目減らし部４の反復回転編成に続く目増やし部５を同じコースだけ編成した後、反復回転編成を終了して再びトウ部３を編成し、開口部７に袋編部６を編成する。この編成は、強撚糸ＳＣＹ（シングルカバリングヤーン）を使用して、針のみ１×１（１目編成し、次の１目編成しないことを繰り返す編成方法）や１×２（１目編成し、次の２目編成しないことを繰り返す編成方法）の連続編成によって行なわれる。
【００１６】
袋編部６の編成は、具体的には、図３に示すように、ｎコース目から偶数列の針を休止させて奇数列の針だけで編成する。このとき、休止した針Ｂ１，Ｂ２，Ｂ３，Ｂ４は、編目を保持した状態である。この編成をｍコースだけ奇数列の針だけで編成する。この間も偶数列の針はｎコースだけ編目を保持したままである。このため、奇数列の針で編成した編地が成長する。ｍコース編成してｍ＋１コースで休止していた偶数列の針を編成状態に復帰させる。この結果、ｍコースの偶数列の編目がｎ＋ｍ＋１コース目でクリアされ、互いに連結され、奇数列だけで編成されたｎ＋１〜ｎ＋ｍコースの編地が生地の裏側を表にした袋状に形成される。この例では、１×１（１目編成し、次の１目編成しないことを繰り返す編成方法）の編成であるが、その他、任意の編成、例えば１×２（１目編成し、次の２目編成しないことを繰り返す編成方法）の編成でも同様に袋状の編地が編成される。
【００１７】
袋編部６の末端は、解け防止のラベルコース８を適当なコース分編成した後、カッタて切り離す。ラベルコースとは、編み終わりの編成組織のことであり、一般には、給糸口が１口で平編組織で、糸はシングルカバリングヤーンを使用することが好適であり、編地の端縁が巻回しほつれにくくすることができる。このようにして、図４に示すように、目増やし部５とトウ部３間の爪先部２の上面に、開口部７が設けられる。
【００１８】
これらの編成に際して、糸使いはライクラ（商標）の強撚糸ＳＣＹ（シングルカバリングヤーン）を使用したが、これに限定されるものでなく、本考案の糸使いは自由に選択しうるものである。また、ラベルコース８の編糸には、熱溶融糸を編み込んで、解けに対する堅牢性を増加するようにしてもよい。
【実施例２】
【００１９】
図５は、本考案のバレエ用タイツの別の実施例を示す爪先部の拡大側面図である。
【００２０】
バレエ用タイツの爪先部１２は、トウ部１３の編成を所定コース分行なった後、目減らし部１４と目増やし部１５からなる編成を行なう。実施例１と同様に、筒編みの一方に袋状の編地を形成するもので、シリンダの半周にある長いパットニードルを非編成レベルに上げ、残る半周の短いパットニードルでシリンダの正逆往復回転により、針上げピッカー及び針下げによって、目減らし部１４と目増やし部１５を編成するものである。
【００２１】
本実施例の場合の正逆往復回転の編成は、踵と反対側の針によって行なわれる。したがって、爪先の上の方から編成される点が、先の実施例とは異なっている。爪先部１２を、より深く編成したい場合は、Ｙ型のゴアラインを採用したり、針の増減を２コースに１回にする。
【００２２】
目減らし部１４に続く目増やし部１５を同じコースだけ編成した後、再びトウ部１３を編成するが、この間に、袋編部１６を編成して開口部１７を設ける。この編成は、針のみ１×１（１目編成し、次の１目編成しないことを繰り返す編成方法）や１×２（１目編成し、次の２目編成しないことを繰り返す編成方法）の連続編成によって行なわれる。袋編部の編成は、実施例１と同様に行なわれる。
【００２３】
袋編部１６の末端は、解け防止のラベルコース１８を適当なコース分編成した後、閉じて切り離している。このようにして、目増やし部１５とトウ部１３間の爪先部１２の下面に開口部１７が設けられる。なお、１９はゴアラインである。
【００２４】
袋編部の糸使いの一例として、ライクラ（商標）の強撚糸ＳＣＹ（シングルカバリングヤーン）を使用したが、糸使いはこれに限定されるものでなく、本考案の糸使いは、任意に選択しうるものである。また、ラベルコース１８の編糸には、熱溶融糸を編み込んで、解けに対する堅牢性を増加するようにしてもよい。
【産業上の利用可能性】
【００２５】
本考案は、バレエ用タイツとして、練習用や舞台用に広く利用しうるものである。
【図面の簡単な説明】
【００２６】
【図１】本考案のバレエ用タイツの一実施例を示す正面図である。
【図２】同爪先部の編成順序を示す拡大側面図である。
【図３】同袋編部の編成順序を示す拡大側面図である。
【図４】同爪先部の拡大側面図である。
【図５】本考案のバレエ用タイツの別の実施例を示す爪先部の拡大側面図である。
【符号の説明】
【００２７】
１          バレエ用タイツ
２，１２   
爪先部
３，１３   
トウ部
４．１４   
目減らし部
５，１５   
目増やし部
６，１６   
袋編部
７，１７   
開口部
８，１８   
ラベルコース
９，１９   
ゴアライン
【図１】
0003118222.tif 000003
【図２】
0003118222.tif 000004
【図３】
0003118222.tif 000005
【図４】
0003118222.tif 000006
【図５】
0003118222.tif 000007